(57)【特許請求の範囲】
【請求項１】
釣糸が巻回保持されるスプールを支持するリール本体と、リール本体に設けられ且つ前記スプールに釣糸を巻き付けるべく構成された巻取り駆動機構とを備えた魚釣用リールに取り付けられ、前記巻取り駆動機構を駆動するための魚釣用リールのハンドルにおいて、
前記巻取り駆動機構に連結される連結軸と、この連結軸に連結されて操作されるアーム部と、アーム部と連結軸との接合部を覆ってこの接合部が外部に露出することを防止するカバー部材とを備え、このカバー部材は、前記連結軸に接続される接続部を有し、この接続部に形成した貫通穴を通じて前記アーム部の端部に接続ネジを捩じ込むことで、該アーム部に接合されることを特徴とする魚釣用リールのハンドル。
【発明の詳細な説明】
【０００１】
【発明の属する技術分野】
本発明は魚釣用リールのハンドルに関する。
【０００２】
【従来の技術】
一般に、魚釣用リールは、リール本体と、リール本体に取り付けられ且つ釣糸が巻回されるスプールとを備えている。また、リール本体には、前記スプールに釣糸を巻取るために操作されるハンドルが回転可能に支持されている。このハンドルは、通常、釣り人が握持する摘み部と、リール本体内の巻取り駆動機構の一部である駆動歯車に連結される連結軸と、連結軸と摘み部とを繋ぐアーム部とによって構成されている。また、一般に、アーム部はアルミ等の軽金属によって形成されるとともに、連結軸はＳＵＳ等の高強度金属によって形成されており、これにより、強度の維持と軽量化とを両立させるようにしている。
【０００３】
また、前記ハンドルは、実開昭５０−３９３８１号公報等に開示されているように、コンパクトに収納できるように折り畳み機構を備えたものが一般的である。前記公報に開示された技術では、アーム部に形成された穴と連結軸に形成された穴とにピンを圧入することにより、アーム部と連結軸とを一体的に連結するとともに、アーム部を連結軸に対してピンを中心に所定角度回動できるようにしている。また、アーム部の回動範囲を大きくしてアーム部をコンパクトに収納できるように、アーム部には折り畳み用の溝が形成されている。
【０００４】
【発明が解決しようとする課題】
ところで、前記ピンをアーム部および連結軸の穴に挿入した状態では、アーム部に凹部が形成される。このような凹部や折り畳み用の前記溝は外部に露出しているため、これらの凹部や溝に海水等が侵入し易く、したがって、これらの部位で塩溜りが出来易い。その結果、異種金属であるアーム部と連結軸およびピンとの間に生じる電位差溜と、前記凹部や前記溝に形成された塩溜りとに起因して、腐食が発生し、アーム部と連結軸およびピンとの接合部の強度が著しく低下してしまう場合がある。
【０００５】
また、このようにして腐食が発生すると、リール本体に施された表面処理にも悪影響が及び、最終的に、リールの各部が固着してしまうなどの不具合が発生するため、早急な対策が望まれている。
【０００６】
本発明は前記事情に着目してなされたものであり、その目的とするところは、アーム部と連結軸との間の接合部の腐食を防止できる魚釣用リールのハンドルを提供することにある。
【０００７】
【課題を解決するための手段】
前記課題を解決するために、本発明は、釣糸が巻回保持されるスプールを支持するリール本体と、リール本体に設けられ且つ前記スプールに釣糸を巻き付けるべく構成された巻取り駆動機構とを備えた魚釣用リールに取り付けられ、前記巻取り駆動機構を駆動するための魚釣用リールのハンドルにおいて、前記巻取り駆動機構に連結される連結軸と、この連結軸に連結されて操作されるアーム部と、アーム部と連結軸との接合部を覆ってこの接合部が外部に露出することを防止するカバー部材とを備え、このカバー部材は、前記連結軸に接続される接続部を有し、この接続部に形成した貫通穴を通じて前記アーム部の端部に接続ネジを捩じ込むことで、該アーム部に接合されることを特徴とする。
【０００８】
【発明の実施の形態】
以下、図面を参照しつつ本発明の実施形態について説明する。
【０００９】
図１〜図７は本発明の第１の実施形態を示している。図１および図２に示されるように、本実施形態の魚釣用リールはスピニングリール１であり、このスピニングリール１は、リール本体１ａと、リール本体１ａから延出する脚部１ｂと、脚部１ｂの端部に形成され且つ釣竿のリールシートＳに取り付けられる竿取付部１ｃとを有している。
【００１０】
図２に明確に示されるように、リール本体１ａ内には、ハンドル５（図１参照）が固定されるハンドル軸２が回転可能に支持されている。ハンドル軸２にはドライブギア３が固定されており、このドライブギア３には、ハンドル軸２に対して直交する方向に延び且つリール本体１ａに回転可能に支持された管状のピニオンギア１３が噛合している。このピニオンギア１３の先端部には、ベール６および釣糸案内装置１５を備えたロータ８が一体的に取り付けられている。
【００１１】
ハンドル軸２と直交する方向に延在するスプール軸９がピニオンギア１３を貫通している。この場合、スプール軸９は、ピニオンギア１３と同心的に配されており、ハンドル軸２と直交する方向に沿って前後動できる。また、スプール軸９の先端部には釣糸が巻回されるスプール１０（図１参照）が取り付けられている。
【００１２】
また、ドライブギア３にはピニオンギア１３を介してオシレーティング機構が係合している。このオシレーティング機構は、ピニオンギア１３と噛み合って回転するウォームシャフト（トラバースカム軸）１９と、ウォームシャフト１９の溝と噛み合い且つスプール軸９に対してその軸方向に移動不能に取り付けられたスライダとからなり、ハンドル軸２がハンドル５の回転操作によって回転されると、スプール軸９を軸方向に沿って往復駆動（前後動）する。
【００１３】
このような構成では、ハンドル５を回転操作してハンドル軸２を回転させると、オシレーティング機構１９を介してスプール軸９に取り付けられたスプール１０が前後に往復動するとともに、ドライブギア３およびピニオンギア１３を介してロータ８が回転駆動する。したがって、スプール１０には、釣糸案内装置１５を介して、釣糸が均等に巻回される。すなわち、ハンドル軸２は、ドライブギア３、スプール軸９、ピニオンギア１３等とともに、スプール１０に釣糸を巻き付けるための巻取り駆動機構を構成している。
【００１４】
図２に明確に示されているように、ハンドル軸２は、ハンドル５を左右で付け替え可能とするべく、リール本体１ａ内でスプール軸９と交差するように延びている。具体的には、ハンドル軸２の両側部は軸受４１，４２を介してリール本体１ａに回転可能に支持されるとともに、ハンドル５が固定されるハンドル軸２の左右両端部２ｂ，２ｃは、リール本体１ａの左右両側に臨むべく、リール本体１ａの左右両側に形成された開口部５０，５０に位置決めされている。なお、リール本体１ａの開口部５０，５０には雌ネジ５１が形成されており、この雌ネジ５１には開口部５０を閉塞するための蓋体４０が螺合されるようになっている。
【００１５】
また、ハンドル軸２の左端部２ｂの外径は、ハンドル軸２の右端部２ｃの外径よりも大きく設定されている。また、左端部２ｂの外周面には第１の雄ネジ（正ネジ）３３が形成され、右端部２ｃの外周面には第１の雄ネジ３３とネジ方向が逆の第２の雄ネジ（逆ネジ）３４が形成されている。
【００１６】
一方、ハンドル軸２に着脱自在に取り付けられるハンドル５は、図２に明確に示されるように、釣り人が握持する摘み部２３と、リール本体１ａ内のハンドル軸２の端部２ｂ（２ｃ）に連結される連結軸２０と、連結軸２０と摘み部２３とを繋ぐアーム部２２とによって構成されている。また、ハンドル５は、連結軸２０とアーム部２２との接合部を覆ってこの接合部が外部に露出することを防止するカバー部材２１を備えている。なお、アーム部２２と連結軸２０は、電位差が異なる互いに異種の金属によって形成されている。すなわち、アーム部２２はアルミ等の軽金属によって形成されるとともに、連結軸２０はＳＵＳ等の高強度金属によって形成されており、これにより、強度アップと軽量化とを両立させるようにしている。
【００１７】
図３に拡大して示されるように、ハンドル軸２に連結される連結軸２０の第１の端部２０ａには、段付き孔３１が形成されている。この段付き孔３１は、外方に位置する大径孔３１ａと、内方に位置する小径孔３１ｂとからなる。また、大径孔３１ａの内周面にはハンドル軸２の第１の雄ネジ３３と螺合可能な第１の雌ネジ３５が形成され、小径孔３１ｂの内周面にはハンドル軸２の第２の雄ネジ３４と螺合可能な第２の雌ネジ３６が形成されている。また、アーム部２２に連結される連結軸２０の第２の端部２０ｂには、アーム部２２を回り止め連結するための回り止め部が形成されているとともに、アーム部２２と連結軸２０とを連結するピン６０が挿入される穴３９（図４および図５参照）が形成されている。さらに、第１の端部２０ａと第２の端部２０ｂとの間に位置する連結軸２０の本体部の外周面には、所定の長さにわたって、雄ネジ３７が形成されている。
【００１８】
一方、連結軸２０に連結されるアーム部２２の端部２２ａは例えば球面状を成しており、この端部２２ａには、連結軸２０の第２の端部２０ｂに連結される連結部２２ｂが突出形成されている。図５に明確に示されるように、連結部２２ｂは、連結軸２０の第２の端部２０ｂに回り止め嵌合する嵌合部４４と、アーム部２２と連結軸２０とを連結するピン６０が挿入される穴４５と、カバー部材２１をアーム部２２に接続する接続ネジ６３が螺合する雌ネジ４６とを有している。
【００１９】
また、カバー部材２１は、連結軸２０に接続される接続部２１ｂと、接続部２１ｂの一端から延びる筒状の第１の延在部２１ｃと、接続部２１ｂの他端から延びる筒状の第２の延在部２１ａとから成る。接続部２１ｂには、連結軸２０の雄ネジ３７と螺合する雌ネジ３８が形成されている。第１の延在部２１ｃは、アーム部２２から突出する連結部２２ｂを受けてこれと嵌合する凹状の受け部４９を形成しており、連結軸２０の第２の端部２０ｂとアーム部２２の連結部２２ｂとの接合部を外側からカバーするように延びている。また、第２の延在部２１ａは、連結軸２０をハンドル軸２に連結した際にリール本体１ａと連結軸２０およびアーム部２２との間に形成される凹部や溝を外側から覆うとともに、接続部２１ｂと共働して連結軸２０とアーム部２２との接合部付近をカバーするように延びている。また、第２の延在部２１ａの端部は、連結軸２０がハンドル軸２の左右両端部２ｂ，２ｃに螺着された際に、リール本体１ａの開口部５０を閉塞するように位置決めされる。なお、カバー部材２１には、カバー部材２１をアーム部２２に接続する接続ネジ６３が貫通する貫通穴４７が形成されている。
【００２０】
次に、図４〜図７を参照しながら、上記構成のハンドル５を組立ててリール本体１ａに取り付ける方法の一例について説明する。
【００２１】
まず、図４に示されるように、連結軸２０とカバー部材２１とを接続する。具体的には、連結軸２０の本体の雄ネジ３７を、カバー部材２１の接続部２１ｂの雌ネジ３８に所定量捩じ込む。この場合、図５に示されるように、次の工程で行なわれるアーム部２２と連結軸２０との結合(具体的には、連結軸２０の第２の端部２０ｂとアーム部２２の連結部２２ｂとの結合)を容易に行なうことができる程度に連結軸２０の第２の端部２０ｂがカバー部材２１の第１の延在部２１ｃの端部から突出するように、雄ネジ３７を雌ネジ３８に捩じ込む。
【００２２】
続いて、図５に示されるように、ピン６０を用いて、連結軸２０の第２の端部２０ｂとアーム部２２の連結部２２ｂとを連結する。具体的には、連結軸２０の第２の端部２０ｂに、連結部２２ｂの嵌合部４４を回り止め嵌合して、第２の端部２０ｂの穴３９と連結部２２ｂの穴４５とを一致させ、これらの穴３９，４５にピン６０を挿入する。その状態が図６に示されている。
【００２３】
図６の状態で、今度は、連結軸２０の雄ネジ３７とカバー部材２１の雌ネジ３８との螺合位置を移動させて、カバー部材２１ｃの第１の延在部２１ｃの端面をアーム部２２の端部２２ａに当接させる。これにより、アーム部２２の連結部２２ｂがカバー部材２１の受け部４９内に完全に受けられて、連結軸２０の第２の端部２０ｂとアーム部２２の連結部２２ｂとの連結部（接合部）が、カバー部材２１の第１の延在部２１ｃによって外側から完全にカバーされる。その状態が図７に示されている。
【００２４】
その後、この図７の状態で、接続ネジ６３を、カバー部材２１の貫通穴４７を通じて、アーム部２２の端部２２ａの雌ネジ４６に捩じ込んで、カバー部材２１をアーム部２２に対して固定する。その状態が図３である。この図３の状態で組み付けられたハンドル５は、図２に示されるように、連結軸２０の第１の端部２０ａをハンドル軸２に接続することにより（本実施形態では、連結軸２０の第１の端部２０ａの第２の雌ネジ３６を、ハンドル軸２の右端部２ｃの第２の雄ネジ３４に螺合することにより）、リール本体１ａに取り付けられる。
【００２５】
この取付状態では、リール本体１ａと連結軸２０およびアーム部２２との間に形成される凹部や溝が、カバー部材２１の第２の延在部２１ａによって外側から完全にカバーされるとともに、連結軸２０とアーム部２０との接合部付近がカバー部材２１の第２の延在部２１ａと接続部２１ｂとによってカバーされる。また、リール本体１ａの開口部５０が第２の延在部２１ａの端部によって閉塞される。
【００２６】
以上説明したように、本実施形態の魚釣用スピニングリール１のハンドル５は、アーム部２２と連結軸２０との接合部を覆ってこの接合部が外部に露出することを防止するカバー部材２１を備えているため、アーム部２２と連結軸２０とを結合した状態で形成される凹部や溝部が外部に露出せず、したがって、これらの凹部や溝に海水等が侵入して塩溜りが出来ることを防止することができ、また、それに伴なう腐食を防止することができる。
【００２７】
また、本実施形態では、カバー部材２１の受け部４９とアーム部２２の連結部２２ｂとを嵌合させることによって、アーム部２２と連結軸２０とを接続した状態での溝部や凹部の形成を極力抑えるようにしており、また、アーム部２２の折り畳み機能を排除してそれに伴う溝をなくしているため、塩溜り防止効果が更に高まると同時に、剛性が高くなって使用時の撓みや捩じれが防止され、リール１の強度および耐久性が向上する。また、特に、本実施形態では、連結軸２０の第２の端部２０ｂとアーム部２２の連結部２２ｂとの接合部をカバー部材２１の第１の延在部２１ｃによって外側からカバーしているだけでなく、リール本体１ａと連結軸２０およびアーム部２２との間に形成される凹部や溝をカバー部材２１の第２の延在部２１ａによって外側から完全にカバーするとともに、リール本体１ａの開口部５０を第２の延在部２１ａの端部によって閉塞するようにしているため、連結軸２０とアーム部２２との接合部への海水等の侵入を略確実に防止することが可能になる。
【００２８】
以上の作用効果は、特に、軽量化と強度アップとを目的として連結軸２０とアーム部２２とを電位差の違う異種金属によって形成した場合においても、塩溜りによる腐食を防止できるため、非常に有益である。
【００２９】
図８は本発明の第２の実施形態を示している。なお、本実施形態において、第１の実施形態と共通する構成部分については、以下、同一符号を付してその説明を省略する。
【００３０】
図示のように、本実施形態では、カバー部材２１と連結軸２０との接続も接続ネジ６３によって行われている。すなわち、連結軸２０には、カバー部材２１との連結部を成すフランジ部２０ｃが設けられるとともに、接続ネジ６３が貫通する貫通孔７０がフランジ部２０ｃに形成されている。
【００３１】
また、本実施形態では、ハンドル軸２と連結軸２０との間のネジ連結形態が第１の実施形態と逆になっている。すなわち、ハンドル軸２の両端部２ｂ，２ｃには、雄ネジ３３，３４の代わりに雌ネジが形成され（図示せず）、連結軸２０の第１の端部には、これらの雌ネジにそれぞれ螺合可能な第１および第２の雄ネジ３５Ａ，３６Ａが形成されている。
【００３２】
また、本実施形態において、カバー部材２１とアーム部２２との接合は、第１の実施形態のように受け部４９内に連結部２２ｂを受け入れる嵌合ではなく、平坦な端面同士を突き当てる当接によって行なわれている。すなわち、カバー部材２１の接合端部は、第１の実施形態における接続部２１ｂおよび第１の延在部２１ｃの両方の機能を兼用するカバー結合部２１ｄとなっている。なお、それ以外の構成は第１の実施形態と略同様である。
【００３３】
このように、本実施形態においても、アーム部２２と連結軸２０との接合部を覆ってこの接合部が外部に露出することを防止するカバー部材２１が設けられているため、第１の実施形態と同様の作用効果を得ることができる。
【００３８】
なお、本発明は、前述した各実施形態に限定されることなく、その要旨を逸脱しない範囲で種々変形実施できることは言うまでもない。例えば、前述した各実施形態においては、スピニングリールに本発明が適用されているが、本発明は、両軸受型リールにも適用できることは言うまでもない。
【００３９】
【発明の効果】
以上説明したように、本発明の魚釣用リールのハンドルは、アーム部と連結軸との接合部を覆ってこの接合部が外部に露出することを防止するカバー部材が、連結軸に接続される接続部に形成した貫通穴を通じて、接続ネジをアーム部の端部に捩じ込むことで、このアーム部に接合されるため、アーム部と連結軸との間の接合部に海水等が侵入して塩溜りが出来ることを防止することができ、また、それに伴なう腐食を防止することができる。
【図面の簡単な説明】
【図１】本発明の第１の実施形態に係る魚釣用リールの側面図である。
【図２】図１の魚釣用リールを背部から見た断面図である。
【図３】図１の魚釣用リールのハンドルの要部を拡大して示す断面図である。
【図４】図３のハンドルの組立工程の第１の段階を示す断面図である。
【図５】図３のハンドルの組立工程の第２の段階を示す断面図である。
【図６】図３のハンドルの組立工程の第３の段階を示す断面図である。
【図７】図３のハンドルの組立工程の第４の段階を示す断面図である。
【図８】本発明の第２の実施形態に係るハンドルの要部拡大断面図である。
【符号の説明】
１…スピニングリール(魚釣用リール)
１ａ…リール本体
２…ハンドル軸（巻取り駆動機構）
５…ハンドル
２０…連結軸
２１…カバー部材
２２…アーム部
【図１】
0003964623.tif 000002
【図２】
0003964623.tif 000003
【図３】
0003964623.tif 000004
【図４】
0003964623.tif 000005
【図５】
0003964623.tif 000006
【図６】
0003964623.tif 000007
【図７】
0003964623.tif 000008
【図８】
0003964623.tif 000009